(57)【特許請求の範囲】
【請求項１】
遊技者の所定の人為的な操作が可能に可動する操作部と、その操作部を可動可能に保持する保持部とを備えた遊技機用操作スイッチであって、
電気的駆動源を備え、
前記保持部は、遊技機本体に直接又は他部材を介して間接的に配置されるとともに、該遊技機本体又は他部材に対して所定の態様で可動可能に組付けられており、
前記保持部が配置固定される前記遊技機本体又は他部材の外壁部には、前記保持部の対応する外周部よりも大きな内周部を有する配置孔が形成され、
前記保持部は、前記配置孔の内周部内を前記外周部の可動可能領域として可動するとともに、前記外周部に隣接し前記外壁部に沿って延設されるフランジ部を有し、そのフランジ部が前記外周部と前記配置孔の内周部との間に形成された空間を、前記外壁部の外側又は内側から閉塞し、
前記操作部は、前記保持部が前記電気的駆動源の駆動力によって可動されることにより、前記所定の人為的な操作に基づく可動とは独立した状態で、当該保持部と一体的に前記所定の態様で可動されることを特徴とする遊技機用操作スイッチ。
【請求項２】
前記操作部は、遊技者に押圧移動操作される操作面を有し、遊技者の人為的な押圧移動操作が可能に前記保持部に保持されて押圧方向に往復移動するものであり、
前記保持部は、前記操作面に交差する前記押圧方向に沿った所定の直線が変動するように、前記遊技機本体又は他部材に対して可動可能に組付けられている請求項１に記載の遊技機用操作スイッチ。
【請求項３】
前記電気的駆動源の駆動力を伝達して前記保持部を可動させる伝達手段を備え、
その伝達手段には、前記操作部及び保持部に前記所定の態様の可動を阻害する外力が加えられたときに、その可動を阻害された前記保持部を可動させようとする前記電気的駆動源の駆動力により発生する負荷を吸収する緩衝手段が設けられている請求項１又は２に記載の遊技機用操作スイッチ。
【請求項４】
前記所定の態様における可動の所定位置で前記保持部をロックするロック手段が設けられ、
そのロック手段がアンロック状態となったときに、前記電気的駆動源の駆動力により前記保持部が可動可能となる請求項１ないし３のいずれか１項に記載の遊技機用操作スイッチ。
【請求項５】
前記保持部は、前記ロック手段がアンロック状態となったときに、遊技者に指触操作可能である請求項４に記載の遊技機用操作スイッチ。
【請求項６】
前記所定の態様における可動の所定位置で前記保持部をロックするロック手段が設けられ、
そのロック手段がロック状態で、前記電気的駆動源が前記伝達手段の緩衝手段の負荷吸収許容範囲内で駆動することにより、前記操作部及び保持部に微振動を伝播可能な請求項３に記載の遊技機用操作スイッチ。
【請求項７】
請求項１ないし６のいずれか１項に記載の遊技機用操作スイッチを備えたことを特徴とする遊技機。
【発明の詳細な説明】
【技術分野】
【０００１】
本発明は、遊技機用操作スイッチ及びそれを備えた遊技機に関する。
【背景技術】
【０００２】
従来、パチンコ機、アレパチ機等の弾球遊技機やスロットマシン、パチスロ機等の回胴式遊技機を含む種々の遊技機では、遊技領域に設ける液晶表示部（可変表示手段）や機枠（台枠）に設けるランプ、ＬＥＤ等の発光体を用いた表示演出、あるいは機枠（台枠）に設けるスピーカー（音声・音響出力手段）を用いた効果音・合成音声等の音演出によって、遊技者の興趣を高め遊技が単調になるのを防ぐ工夫がなされている。さらに近年では、遊技機側（すなわち遊技店側）から遊技者側に一方的に提供されるこれらの演出機能に加え、例えば遊技者の操作に基づき演出表示パターンを選択したり変更したりすることによって遊技環境に変化をもたらすことができるように、プレイヤー参加型の演出機能を備えるものも登場している。このようなプレイヤー参加型演出機能の一類型として、遊技者による基準線方向への押圧移動操作（プッシュ操作）が可能な、いわゆるプッシュボタン式の操作スイッチを備えたものがある。これによれば、例えば液晶表示部の表示画面でのナビゲーション表示（告知表示）に応じて遊技者が操作スイッチを押圧移動操作することにより表示内容を決定したり、実行させたりすることができる。
【先行技術文献】
【特許文献】
【０００３】
【特許文献１】特開２０１０−２２０６５３号公報
【０００４】
特許文献１の遊技機では、液晶表示装置による所定の演出態様に応じて電気的駆動源の駆動に基づいて視認可能に動作する可動体としての操作リングユニット（３２９）を遊技者が指触可能に備え、可動体の動きに対する興趣の低下を抑制するとともに、斬新な遊技性を生じさせようとしたものである。具体的には、操作リングユニット（３２９）は、押圧操作が可能なボタン機構（３３０）と、回転操作が可能なリング機構（３３１）とを外形筐体をなす上下の各カバー体（３３２，３３３）に収容することでユニット化して構成されている。
【０００５】
そして、ボタン機構（３３０）の周囲に設けられたリング機構（３３１）は、液晶表示装置の演出内容に影響を与える制御を行うための、遊技者の意思に基づいた指触操作（回転操作）を行うことができるとともに、ステッピングモータなどの電気的駆動源の駆動に基づいてリング機構（３３１）が動作しその動きを遊技者自体が直接体感することができるものである。すなわち、電気的駆動源を駆動して遊技者の指触操作に通常の操作とは異なった感触（変化）を与えることができるものである。
【０００６】
しかしながら、このようなリング機構（３３１）は、遊技者が直接指触操作する回転動作と、電気的駆動源に基づく回転動作とが同じ回転動作であるので、上記のごとく直接体感できるという興趣は得られるものの、リング機構の輪郭（シルエット）は回転動作によっても大きく変化せず、視覚的演出効果という点では遊技者に与える効果は小さいと言える。また、ボタン機構については、リング機構の中心に固定的に配置されて押圧操作されるだけであり、リング機構の回転動作を際立たせる効果を有するものとは言い難い。
【発明の概要】
【発明が解決しようとする課題】
【０００７】
本発明は、上記実情に鑑みてなされたものであり、視覚的演出効果という点でもインパクトある斬新な演出効果を遊技者に与えることが可能な遊技機用操作スイッチ及びそれを備えた遊技機を提供することにある。
【課題を解決するための手段】
【０００８】
上記課題を解決するために、本発明の遊技機用操作スイッチは、
遊技機での待機状態を含む遊技状態に応じて、遊技者の所定の人為的な操作が可能に可動する操作部と、その操作部を可動可能に保持する保持部とを備えた遊技機用操作スイッチであって、
電気的駆動源を備え、
保持部は、遊技機本体に直接又は他部材を介して間接的に配置されるとともに、該遊技機本体又は他部材に対して所定の態様で可動可能に組付けられており、
保持部が配置固定される遊技機本体又は他部材の外壁部には、保持部の対応する外周部よりも大きな内周部を有する配置孔が形成され、
保持部は、配置孔の内周部内を外周部の可動可能領域として可動するとともに、外周部に隣接し前記外壁部に沿って延設されるフランジ部を有し、そのフランジ部が外周部と配置孔の内周部との間に形成された空間を、外壁部の外側又は内側から閉塞し、
操作部は、遊技状態に応じて保持部が電気的駆動源の駆動力によって可動されることにより、所定の人為的な操作に基づく可動とは独立した状態で、当該保持部と一体的に所定の態様で可動されることを特徴とする。
【０００９】
また、上記課題を解決するために、本発明の遊技機は、
上記構成を有する遊技機用操作スイッチを備えたことを特徴とする。
【発明の効果】
【００１０】
上記本発明の遊技機用操作スイッチ及びそれを備えた遊技機によれば、遊技者の所定の人為的な操作が可能に可動する操作部と、その操作部を可動可能に保持する保持部とを備え、その保持部が遊技機本体又は他部材に対して所定の態様で可動可能に組付けられている。そして、操作部及び保持部が電気的駆動源の駆動力によって所定の態様で可動される。これによれば、操作部及び保持部が所定の人為的な操作に基づく可動とは独立した状態で視認可能に可動されるので、その可動動作を遊技者自体が直接体感できるのは言うまでもなく、可動動作によって保持部や操作部の輪郭（シルエット：位置：姿勢）が大きく変化することとなり、視覚的演出効果という点でもインパクトある斬新な演出効果を遊技者に与えることが可能となる。そして、視覚的演出効果が高まるので、周囲の遊技者にも知らしめることが可能となり、他の遊技者の遊技に対する興味を引き付けることができる。さらには、操作部及び保持部が可動することにより、その動作によって遊技者に操作部の操作を促すことが可能となり、液晶表示装置に依存することなく、インパクトある斬新な演出効果を遊技者に与えることができる。
【００１１】
なお、操作部における遊技者の所定の人為的な操作が可能な可動態様としては、保持部が配置される遊技機本体又は他部材の外壁面に対して交差する方向に沿った押圧移動操作に基づく直線往復移動（後述）のほか、該外壁面に平行な面内方向でダイヤル式の回転操作に基づく回転移動や、直線往復移動などが含まれる。
【００１２】
また、遊技機用操作スイッチにおいて操作部は、遊技者に押圧移動操作される操作面を有し、遊技者の人為的な押圧移動操作が可能に保持部に保持されて押圧方向に往復移動するものであり、
保持部は、操作面に交差する押圧方向に沿った所定の直線が変動するように、遊技機本体又は他部材に対して可動可能に組付けることができる。
【００１３】
これによれば、保持部が遊技機本体又は他部材に対して可動可能に固定されているので、操作部における操作面の位置や姿勢（方向）などが保持部とともに変動することとなり、遊技状態に応じて押圧移動操作する際の動作が単調になるのを防いで斬新な演出を行うことができ、興趣の向上を図ることができる。例えば、遊技者が押圧移動操作しようと指や掌を操作面に触れようとしたときに、操作面を逃げる形で移動させることができ、遊技者に新たな興趣を与えることができる。
【００１４】
なお、操作部と一体的に可動する保持部の可動の所定の態様としては、上記所定の直線が平行移動する形の直線往復移動や円形状（楕円形状）などの環状の軌跡を描くような移動、或いは該直線が揺動、又は該直線が円（円錐）を描くように振れる移動（歳差移動，首振り移動、みそすり移動）、及びその組み合わせなどが含まれる。そして、これらの移動は、押圧移動操作される操作部の可動態様だけでなく上述した種々の可動態様をなす操作部に採用してもよい。
【００１５】
そして、保持部が配置固定される遊技機本体又は他部材の外壁部には、保持部の対応する外周部よりも大きな内周部を有する配置孔が形成され、
保持部は、配置孔の内周部内を外周部の可動可能領域として可動するとともに、外周部に隣接し外壁部に沿って延設されるフランジ部を有し、そのフランジ部が外周部と配置孔の内周部との間に形成された空間を、外壁部の外側及び／又は内側から閉塞することができる。
【００１６】
これによれば、保持部には、遊技機本体又は他部材の外壁部に設けられた配置孔との間に形成される空間（隙間）を閉塞するフランジ部が設けられているので、外周部（保持部）の可動可能領域となる空間に遊技者が煙草等の異物を挿入するなどの悪戯を抑制及び防止することができる。また、保持部の可動の阻害となる塵や埃などが空間に入り込むのを抑制及び防止することができる。さらには、フランジ部によって保持部の外形が拡大されるので、遊技機本体又は他部材の外壁部上で存在感が増し、迫力ある可動演出を実現することができる。
【００１７】
また、遊技機用操作スイッチは、電気的駆動源の駆動力を伝達して保持部を可動させる伝達機構（伝達手段）を備え、
その伝達機構には、操作部及び保持部に所定の態様の可動を阻害する外力が加えられたときに、その可動を阻害された保持部を可動させようとする電気的駆動源の駆動力により発生する負荷を吸収する緩衝機構（緩衝手段）を設けることができる。
【００１８】
ここで、特許文献１のように可動体の動作を検出する動作検出手段や、遊技者による可動体の指触操作を優先するべく、電気的駆動源の駆動を停止する操作優先制御手段を設けた場合では、見方を変えれば電気的駆動源が正常に動作しない状況を検出したときに、電気的駆動源を停止させて負荷を最小限に抑える制御を行うものであるが、負荷が蓄積されることにより破損や劣化、故障などにより製品寿命が短くなってしまう問題が懸念される。これに対し、上記の遊技機用操作スイッチによれば、電気的駆動源の駆動力を伝達して保持部を可動させる伝達機構に緩衝機構を設けているので、保持部の可動を阻害する外力が加わったとしても、緩衝機構によって電気的駆動源自体は外力の影響を受けずそのまま駆動し続けることができるとともに、電気的駆動源に負荷が生じるのを抑制することができる。従って、複雑な制御が必要なくなるので、検出手段等を必要とせずシンプルな構成とすることができ、部品点数を低減しコスト削減に寄与することができる。
【００１９】
また、遊技機用操作スイッチには、所定の態様における可動の所定位置で保持部をロックするロック機構（ロック手段）が設けられ、
そのロック機構がアンロック状態となったときに、電気的駆動源の駆動力により保持部を可動可能とすることができる。
【００２０】
これによれば、可動可能に固定された保持部が、所定位置でロック機構によってロックされるので、外力が加わったとしても不要な可動が抑制及び防止され、例えばロック位置を初期位置（基準位置）として設定することができる。そして、ロック機構がアンロック状態となることで電気的駆動源の駆動力によって保持部が可動可能となり、静と動とのめりはりの利いた興趣ある演出を行うことができる。
【００２１】
また、保持部は、ロック機構がアンロック状態となったときに、遊技者に指触操作可能な態様としてもよい。その場合には、保持部の可動を検出する検出手段を適宜設け、その遊技者の操作に基づき演出表示パターンを選択したり変更したりすることによって遊技環境に変化をもたらすことができる。
【００２２】
また、遊技機用操作スイッチには、
所定の態様における可動の所定位置で保持部をロックするロック機構（ロック手段）が設けられ、
そのロック機構がロック状態で、電気的駆動源が伝達機構の緩衝機構の負荷吸収許容範囲内で駆動することにより、操作部及び保持部に微振動を伝播可能な構成とすることができる。
【００２３】
これによれば、ロック機構や緩衝機構などのそれぞれの役割を担う機構を組み合わせて応用することで、所定の態様の可動とは別に操作部及び保持部に微振動を伝播可能となり、遊技に対応した演出の多様化を図ることができる。また、微振動用の電気的駆動源（バイブモータ等）を別途設ける必要が無くなり、部品点数の低減に寄与することができる。
【図面の簡単な説明】
【００２４】
【図１】本発明の実施形態に係る遊技機用操作スイッチを備えた遊技機の一例を示す斜視図である。
【図２】遊技機用操作スイッチの平面図、正面図及び底面図である。
【図３】図２の遊技機用操作スイッチのベース部を省略して上から見た斜視図、及び下から見た斜視図である。
【図４】図２の遊技機用操作スイッチの上から見た分解斜視図である。
【図５】図２の遊技機用操作スイッチの下から見た分解斜視図である。
【図６】図２（ａ）におけるＡ−Ａ断面図、Ｂ−Ｂ断面図及びＣ−Ｃ断面図である。
【図７】ロック機構のロック状態及びアンロック状態を示す図である。
【図８】スイッチ本体の可動態様を示す説明図である。
【図９】図８（ａ）に対応し、カム機構の動作の説明図及びＸ部拡大図である。
【図１０】図９（ｂ）に対応し、緩衝機構の動作の説明図であり、緩衝機構が作動状態の図である。
【図１１】図１１（ａ）は第１の別実施形態に係る遊技機用操作スイッチを上から見た斜視図であり、図１１（ｂ）はその正面図であり、図１１（ｃ）はＤ−Ｄ断面線に対応したスイッチ本体が９０度回転移動した状態の縦断面図である。
【図１２】図１１の遊技機用操作スイッチの上から見た分解斜視図である。
【図１３】図１１の遊技機用操作スイッチの下から見た分解斜視図である。
【図１４】図１４（ａ）は図１１の遊技機用操作スイッチの動作を説明する平面図であり、図１４（ｂ）はその動作状態におけるＥ−Ｅ断面線に対応した横断面図である。
【図１５】図１５（ａ）は図１４に続く動作を説明する平面図であり、図１５（ｂ）はその動作状態におけるＥ−Ｅ断面線に対応した横断面図である。
【図１６】図１６（ａ）は図１５に続く動作を説明する平面図であり、図１６（ｂ）は、その動作状態におけるＥ−Ｅ断面線に対応した横断面図である。
【図１７】図１７（ａ）は第２の別実施形態に係る遊技機用操作スイッチの正面図であり、図１７（ｂ）は側面図であり、図１７（ｃ）は上から見た斜視図であり、図１７（ｄ）は伝達機構を示す斜視図である。
【図１８】図１７の遊技機用操作スイッチの上から見た分解斜視図である。
【図１９】図１７の遊技機用操作スイッチの下から見た分解斜視図である。
【図２０】図１７の遊技機用操作スイッチの動作を説明するＦ−Ｆ断面図である。
【図２１】第３の別実施形態に係る遊技機用操作スイッチを上から見た分解斜視図である。
【図２２】第３の別実施形態に係る遊技機用操作スイッチを下から見た分解斜視図である。
【図２３】図２３（ａ）は第３の別実施形態に係るカム機構の平面図であり、図２３（ｂ）は正面図であり、図２３（ｃ）は正面上方から見た斜視図であり、図２３（ｄ）はＧ−Ｇ断面図である。
【図２４】図２４（ａ）は図２３のカム機構の動作状態を説明する平面図であり、図２４（ｂ）は正面上方から見た斜視図である。
【図２５】図２４に対応し、緩衝機構の動作の説明図であり、緩衝機構が作動状態の図である。
【発明を実施するための形態】
【００２５】
以下、本発明における実施形態について図面を参照しつつ説明する。
【実施例】
【００２６】
図１に示すように、遊技機（以下、パチンコ機ともいう）１は、そのパチンコ機１の外郭を形成する額縁状の外枠２を備えている。外枠２には、ヒンジ部２ａ，２ｂを介して前面側に向かって片開き可能な内枠３が支持されている。内枠３には、同様にヒンジ部２ａ，２ｂを介して前面側に向かって片開き可能な前枠４が支持されている。内枠３には、図示しないガイドレールにより前面側に遊技領域が形成された遊技盤が装着され、その遊技盤の下方に遊技領域に向けて遊技球を発射する球発射装置が設けられている。
【００２７】
前枠４は、遊技盤の遊技領域に対応した窓部４ａが厚み方向に貫通形成されて開口している。そして、前枠４の後面側には、窓部４ａを閉塞するように透明板４ｂが着脱可能に配置されている。透明板４ｂは、前枠４が内枠３に対して閉状態のときに該窓部４ａを介して遊技領域を視認可能としている。また、前枠４の前面下側には、貸球や賞球等の遊技球を一時的に貯留し、その貯留した遊技球を整流して球発射装置に供給する球受皿５と、球発射装置が遊技球を発射する発射力を調節するための発射ハンドル６とが設けられている。そして、球受皿５の上面には、外壁部から一部を露出する構成で遊技機用操作スイッチ１０が設けられている。遊技機用操作スイッチ１０は、遊技者が操作するものであり、遊技状態に応じて遊技者の操作に基づき液晶表示部（図示せず）の演出表示パターンを選択したり変更したりすることができる。
【００２８】
なお、本明細書において、透明板４ｂ（遊技盤の盤面）と直交する方向が前後方向であり、遊技者側が前方側、遊技盤側（パチンコ機１の奥側）が後方側としている。また、透明板４ｂ（遊技盤の盤面）に沿う態様で遊技領域を遊技球が流下する方向を上下方向（鉛直方向）としている。また、これら前後方向及び上下方向と直交する方向を左右方向としている。
【００２９】
以下、遊技機用操作スイッチ１０（以下、操作スイッチ１０ともいう）について詳しく説明する。
【００３０】
操作スイッチ１０は、図１ないし図３に示すように、パチンコ機１での待機状態を含む遊技状態に応じて、遊技者の所定の人為的な操作が可能に可動する操作部２０と、その操作部２０を可動可能に保持する保持部３０とを備えたスイッチ本体１１と、そのスイッチ本体１１（保持部３０）を所定の態様で可動可能に配置固定するベース部４０と、ベース部４０の内側に配置されスイッチ本体１１（保持部３０）を可動するための電気的駆動源としてのモータ５０と、そのモータ５０の駆動力をスイッチ本体１１（保持部３０）に伝達する伝達機構６０（伝達手段）とを備えている。また、操作スイッチ１０には、所定の態様における可動の所定位置で保持部３０の移動をロックするロック機構７０（ロック手段）が設けられている。
【００３１】
そして、操作スイッチ１０は、図２（ｂ）の二点鎖線で示すように、遊技状態に応じて保持部３０がモータ５０の駆動力によって可動されることにより、操作部２０の所定の人為的な操作に基づく可動とは独立した状態で、当該操作部２０と保持部３０とが一体的に所定の態様で可動され、視覚的演出効果という点でインパクトある斬新な演出効果を遊技者に与えることができる。なお、本実施形態において、スイッチ本体１１（保持部３０）は、左右方向に直線往復移動するものであり、二点鎖線は、保持部３０の端部が左右に移動した状態を示すものである。
【００３２】
また、本実施形態に係る操作スイッチ１０は、ユニット化されて球受皿５の上面に配置されているが、球受皿５の内部からスイッチ本体１１が露出するように配置してもよい。すなわち、本実施形態では、スイッチ本体１１がベース部４０（他部材）を介して間接的に球受皿５（遊技機本体）に配置されているが、ベース部４０を省略して直接球受皿５に配置してもよい。つまり、ベース部４０が本発明における他部材に相当する。
【００３３】
スイッチ本体１１は、図４、図５及び図６（ａ）（ｃ）に示すように、平面視円形形状をなし遊技者に押圧移動操作される操作面２１ａを有する操作蓋２１が、円筒形状をなす操作部本体２２の上端に固定された操作部２０と、円筒形状をなしその内側に操作部２０を収容するとともにその中心軸線Ｏ１に沿って操作部２０が遊技者の人為的な押圧移動操作を可能に保持する保持部３０と、操作部２０と保持部３０との間に配置され操作部２０を中心軸線Ｏ１方向で保持部３０に対し突出する（押圧移動操作に抗する）ように付勢するコイルばね３９と、操作部２０を発光する発光部３８ａ並びに操作部２０の押圧移動操作を検出するフォトセンサ３８ｂ及びコネクタ端子台３８ｃが配置された配線基板３８と、その配線基板３８を上面に形成されたリブ３７ａによって支持し保持部３０に固定される底蓋３７とを備えている。
【００３４】
操作蓋２１は、光を透過する光透過性材料で形成され、操作面２１ａの周縁から垂下される周壁部２１ｂに係止凹部２１ｃが貫通形成されている。操作部本体２２は、円筒形状をなす外周壁部２２ａと、円錐台形形状をなす内周壁部２２ｂとが上端部で接合された形態をなして形成されている。操作部本体２２は、内周壁部２２ｂの円錐内面が、例えばメッキ、蒸着又は塗装などにより発光部３８ａの反射面として形成されている。そして、外周壁部２２ａの上端側には、操作蓋２１の係止凹部２１ｃに対応して側方に突出する係止凸部２２ｃが形成され、下端側には、操作部本体２２（操作部２０）を保持部３０に対して所定ストロークだけ往復移動可能に抜け止めする係止爪２２ｄが延設されている。また、内周壁部２２ｂの下端側には、操作部２０の押圧操作移動を検出するためにフォトセンサ３８ｂの発光部と受光部との間を遮蔽する遮蔽片２２ｅが延設されるとともに、コイルばね３９の一端を固定する環状の溝部２２ｆが形成されている。
【００３５】
次に、保持部３０は、図４、図５及び図６（ａ）（ｃ）に示すように、円筒形状をなし操作部本体２２を収容する収容部３１と、収容部３１の上端から径方向外側に延出される平面視楕円形状（ドーナツ形状）のフランジ部３２と、収容部３１の中間位置で内部を区画する仕切り壁３３と、フランジ部３２の下面側で伝達機構６０の後述するスライダー６１と連結固定するための固定ボス３４とを備えている。収容部３１の内側には、操作部本体２２が中心軸線Ｏ１周りに回転しないように中心軸線Ｏ１に沿った溝状のガイド部３１ａとその上端に段差状の係止受部３１ｂが形成されており、操作部本体２２の係止爪２２ｄがガイド部３１ａを摺動するとともに係止受部３１ｂの規制によって所定ストロークだけ往復移動可能に抜け止めされる。また、仕切り壁３３は、発光部３８ｂや遮蔽片２２ｅ、係止爪２２ｄが仕切り壁３３の反対側の空間に臨むように切欠きや貫通孔が適宜形成され、上面には、コイルばね３９の他端を固定する環状の溝部３３ａが形成されている。なお、固定ボス３４は、収容部３１を挟んで左右方向両側にそれぞれ形成されている。また、フランジ部３２は、ベース部４０の上壁４１に沿って延設され、長軸が左右方向、短軸が前後方向となるように形成されている。
【００３６】
ベース部４０は、図４ないし図６に示すように、下面が開口する箱形態をなし、図示しない底カバーによって下面の開口が閉塞されることにより操作スイッチ１０が一つのユニットとして構成されるようになっている。また、ベース部４０は、外壁部としての上壁４１に保持部３０の収容部３１が配置される配置孔４２が貫通形成されている。配置孔４２は、保持部３０の収容部３１の対応する外周部よりも大きな内周部４２ａを有して形成されている。そして、上壁４１の下面（内面）には、左右方向に沿って延設され伝達機構６０のスライダー６１をガイドするガイドリブ４３が配置孔４２を前後方向に挟んで２本形成されている。また、上壁４１の下面（内面）には、配置孔４２の近傍にモータ５０を取り付けるモータベース４９がビス等の締結部材４９ａによって固定されている。
【００３７】
ここで、スイッチ本体１１（保持部３０）は、操作部２０の操作面２１ａに交差する押圧方向に沿った所定の直線（中心軸線Ｏ１）が左右方向に変動するように、ベース部４０に対して可動可能に組付けられ（固定され）ている（図２（ｂ），図８参照）。従って、配置孔４２の具体的な態様としては、円筒形状をなす収容部３１が左右方向に可動するために左右方向が長手方向となる略レーストラック形状をなし、左右両側の湾曲部の頂部が固定ボス３４に対応して膨出するように形成されている。
【００３８】
なお、保持部３０（スイッチ本体１１）が、配置孔４２の内周部４２ａ内を収容部３１の可動可能領域として可動するので、その収容部３１の外周部と配置孔４２の内周部４２ａとの間に空間Ｓ（隙間）が形成されるが（図６（ｃ）参照）、その空間Ｓを常時上側から閉塞するためにフランジ部３２が上壁４１に沿って延設されている。なお、フランジ部３２は、上壁４１の内側から空間Ｓ（配置孔４２）を閉塞する構成としてもよい。
【００３９】
続いて、伝達機構６０について説明する。
伝達機構６０は、図４ないし図６に示すように、保持部３０と連結され左右方向に可動するスライダー６１と、モータ５０のモータ軸５１に連結されるとともに、スライダー６１を左右方向に可動（直線往復移動）させるカム機構８０とを備えている。そして、伝達機構６０には、スイッチ本体１１（操作部２０及び保持部３０）に所定の態様の可動を阻害する外力が加えられたときに、その可動を阻害されたスイッチ本体１１を可動させようとするモータ５０の駆動力により発生する負荷を吸収する緩衝機構（緩衝手段）が設けられている。なお、本実施形態において、詳しくは後述するがカム機構８０が緩衝機構として機能する。
【００４０】
スライダー６１は、板状形態をなし、保持部３０の収容部３１に挿通される円形形状に貫通形成された取付部６２と、カム機構８０から作用を受けるＴ字形状に貫通形成された被作用部６３とを備えている。被作用部６３は、見方を変えれば、左右方向に延びる左右長孔６３ａと前後方向に延びる前後長孔６３ｂとが繋がってＴ字形状に形成されている。また、スライダー６１の側部には、ロック機構７０から作用を受ける被ロック部６４が凹状に形成されている。また、スライダー６１は、保持部３０の固定ボス３４に対応して挿通孔６５が形成され、その挿通孔６５を介して固定ボス３４にビス等の締結部材６５ａが締結されてスライダー６１と保持部３０とが一体に固定される。
【００４１】
カム機構８０は、モータ５０のモータ軸５１に連結されるモータカム８１と、モータカム８１に対して相対的に回転可能に固定され、スライダー６１と連係されるスライダーカム８２と、モータカム８１とスライダーカム８２との間に配置され、モータカム８１の回転変位をスライダーカム８２の回転変位に伝達する捻じりバネ８３とを備えている。
【００４２】
モータカム８１は、円板形態をなし、モータ軸５１が嵌合する嵌合孔を有しモータ軸線Ｏ２に沿って延出されるボス状の内軸部８１ａと、モータ軸線Ｏ２において内軸部８１ａの径方向外側で起立する周壁部８１ｂとを備え、内軸部８１ａ及び周壁部８１ｂによって捻じりバネ８３を収容する環状の空間部を形成している。そして、周壁部８１ｂには、捻じりバネ８３の一端部８３ａを架け留めする切り込み部８１ｃが形成されている。また、モータカム８１には、所定の回転変位を検出するフォトセンサ４８の被検出部として突片８１ｄが形成されている。従って、この突片８１ｄの検出によって、スイッチ本体１１及びスライダー６１の所定位置における変位が検出される。なお、フォトセンサ４８はモータベース４９に固定されている。
【００４３】
スライダーカム８２は、円板形態をなし、モータカム８１の内軸部８１ａが挿通（遊嵌）されるボス状の外軸部８２ａと、モータ軸線Ｏ２において外軸部８２ａの径方向外側で起立する周壁部８２ｂとを備え、外軸部８２ａ及び周壁部８２ｂによって捻じりバネ８３を収容する環状の空間部を形成している。すなわち、モータカム８１とスライダーカム８２とが積層配置されることにより空間部が閉塞され捻じりバネ８３を収容する収容空間８３ｓが形成される。そして、周壁部８２ｂには、捻じりバネ８３の他端部８３ｂを架け留めする切り込み部８２ｃが形成されている。また、スライダーカム８２には、外軸部８２ａから径方向に位置ズレした偏心軸部８２ｄが形成されており、この偏心軸部８２ｄにローラー作用部８４が回転可能に軸支されている。
【００４４】
ここで、ローラー作用部８４がスライダー６１の前後長孔６３ｂに配置され、外軸部８２ａが左右長孔６３ａに配置されて、ロック機構８０とスライダー６１との連係が行われている。すなわち、スライダーカム８２が回転することにより、ローラー作用部８４が回転変位してスライダー６１を左右方向に直線移動（変位）させるとともに、左右長孔６３ａによって外軸部８２ａの干渉が回避されている（ガイドとして機能もする）。そして、スライダーカム８２の回転は、モータカム８１が回転すると捻じりバネ８３の付勢力（弾性力，復元力）によってスライダーカム８２がその回転に追従する形で回転することができる。
【００４５】
なお、内軸部８１ａ及び偏心軸部８２ｄの先端部に座付きビス８５が締結され、外軸部８２ａ及びローラー作用部８４が抜け止めされている。これにより、モータカム８１とスライダーカム８２、並びにスライダーカム８２とローラー作用部８４がそれぞれ相対的に回転可能に固定されている。
【００４６】
次に、ロック機構７０について説明する。ロック機構７０は、図４、図５及び図７に示すように、ベース部４０の上壁４１の内側に揺動軸線Ｏ３回りに揺動可能に設けられ、スライダー６１の被ロック部６４に嵌り込んでロックするロック状態（図７（ａ）参照）と、該被ロック部６４から離脱したアンロック状態（図７（ｂ）参照）との間で揺動するテコ部材７１と、そのテコ部材７１を作動させる電気的駆動源としてのソレノイド７５とを備えている。テコ部材７１は、長手状形態をなし、その一端側で屈曲形成されたロック部７２と、他端側で二股状に形成されソレノイド７５のプランジャ７６と連係される操作ピン７３と、中間位置で揺動軸線Ｏ３に沿って貫通形成されベース部４０の上壁４１に設けられた軸ボス４４が挿通される軸孔７４とを備えている。そして、ソレノイド７５は、プランジャ７６が前後方向に進退するように上壁４１の内側に固定されている。
【００４７】
従って、ソレノイド７５のプランジャ７６が進退することにより、テコ部材７１が揺動軸線Ｏ３回りで揺動することができ、ロック機構７０（テコ部材７１）がアンロック状態となったときに、モータ５０の駆動力によりスイッチ本体１１（保持部３０）が可動可能となる（図７（ｂ）、図８参照）。なお、本実施形態において、ロック機構７０は、スイッチ本体１１（保持部３０）が配置孔４２に対して中央位置でロック状態となるように形成されている。また、ソレノイド７５をプランジャ７６が前後方向に進退するように配置されているが、これに限らず、プランジャ７６が上下方向に進退するように配置し、かつ、スライダー６１に貫通孔を形成して、その貫通孔にプランジャ７６を直接又は間接的にカンヌキ状に嵌合することで、ロック機構を形成してもよい（図２１，図２２参照）。
【００４８】
次に、操作スイッチ１０の作動について説明する。例えば、図示しない液晶表示部の表示画面でリーチ演出時や大当たり時等の所定の遊技状態となったときに、遊技者に対する演出効果を高めるため、表示画面で操作部２０の押圧移動操作を遊技者に促すとともに、スイッチ本体１１が左右方向に連続又は間欠的に往復動（可動）する（図２（ｂ）参照）ように制御されている。または、表示画面で操作部２０の押圧移動操作を遊技者に促す代わりに、操作スイッチ１０が左右方向に往復動して操作部２０の押圧移動操作を促すように制御してもよい。
【００４９】
具体的には、通常状態（初期状態）において、操作スイッチ１０は、図７（ａ）に示すように、所定位置でスライダー６１の被ロック部６４にテコ部材７１のロック部７２が嵌合したロック状態で保持されている。このとき、スイッチ本体１１（保持部３０）は、所定位置としてベース部４０の配置孔４２の中央に位置して配置されている。従って、操作スイッチ１０単体や組付け後の遊技機の運搬時などにおいて、スイッチ本体１１が意図せず移動衝突して破損するといった問題を解消する、或いはそれを防止するための梱包を省略することができる。また、通常状態（初期状態）において、カム機構８０のスライダーカム８２の外軸部８２ａは、スライダー６１の左右長孔６３ａの中央に位置して配置されている。すなわち、ローラー作用部８４（偏心軸部８２ｄ）と外軸部８２ａとが前後方向に並ぶ位置（被作用部６３の前後長孔６３ｂがモータ軸線Ｏ２と交差する位置）で保持されている。
【００５０】
そして、上記のようにリーチ演出時や大当たり時等の所定の遊技状態となったときには、まず、図７（ｂ）に示すように、ロック機構７０がアンロック状態となる。すなわち、ソレノイド７５が駆動して励磁状態になるとともに、プランジャ７６がバネ７７の付勢力に抗して引き込まれ、テコ部材７１が揺動軸線Ｏ３回りで揺動する。そして、テコ部材７１のロック部７２がスライダー６１の被ロック部６４から離間して両者の嵌合が解除される。
【００５１】
続いて、モータ５０が所定の角度範囲、速度及び時間でモータ軸５１を往復回転するように駆動制御され、図８（ａ）に示すように、スイッチ本体１１が配置孔４２の一端側に位置する左側位置と、図８（ｂ）に示すように、スイッチ本体１１が配置孔４２の他端側に位置する右側位置との間を、所定の可動範囲、速度及び時間で伝達機構６０を介して左右方向に往復移動される。これにより、可動中の操作部２０を押圧移動操作することができるので（押圧移動操作しようとする操作部２０が移動するので）、遊技者の押圧移動操作に斬新な体感を与えることができ、リーチ演出時や大当たり時等の所定の遊技状態における演出効果を高めることができる。なお、可動中の操作部２０の押圧移動操作は、スイッチ本体１１の可動を阻害することになるが、緩衝機構８０が機能することでモータ５０の駆動力により発生する負荷を吸収し問題なく動作させることができる。
【００５２】
具体的には、モータ５０が駆動制御され、図７（ｂ）においてモータ軸線Ｏ２を中心として時計回りにモータ軸５１が所定の角度回転し、モータカム８１、捻じりバネ８３及びスライダーカム８２を介してローラー作用部８４（偏心軸部８２ｄ）が所定の角度回転し左方向に変位する（図８（ａ），図９（ａ）参照）。そして、ローラー作用部８４がスライダー６１の前後長孔６３ｂ（被作用部６３）に挿通されているので、前後長孔６３ｂがローラー作用部８４の左方向の変位を受けてスライダー６１が左方向に移動し、スイッチ本体１１が配置孔４２の一端側に位置する左側位置に変位する。
【００５３】
なお、図９（ａ）に示すように、カム機構８０は、捻じりバネ８３の一端部８３ａが架け留めされたモータカム８１の周壁部８１ｂの切り込み部８１ｃとモータ軸線Ｏ２とを結ぶ直線を直線Ｐ１とし、捻じりバネ８３の他端部８３ｂが架け留めされたスライダーカム８２の周壁部８２ｂの切り込み部８２ｃとモータ軸線Ｏ２とを結ぶ直線を直線Ｑ１としたとき、モータカム８１とスライダーカム８２とは、捻じりバネ８３によって直線Ｐ１と直線Ｑ１とが所定の角度θを一定に保持するように固定されている。従って、スライダーカム８２は、モータ５０の駆動により所定の角度θを保持しながらモータカム８１とともに回転し、ローラー作用部８４（偏心軸部８２ｄ）が所定の角度回転し左方向に変位している。
【００５４】
また、モータ５０が駆動制御され、図７（ｂ）においてモータ軸線Ｏ２を中心として反時計回りにモータ軸５１が所定の角度回転し、モータカム８１、捻じりバネ８３及びスライダーカム８２を介してローラー作用部８４（偏心軸部８２ｄ）が所定の角度回転し右方向に変位する（図８（ｂ）参照）。そして、ローラー作用部８４がスライダー６１の前後長孔６３ｂ（被作用部６３）に挿通されているので、前後長孔６３ｂがローラー作用部８４の右方向の変位を受けてスライダー６１が右方向に移動し、スイッチ本体１１が配置孔４２の他端側に位置する右側位置に変位する。なお、カム機構８０では、モータカム８１とスライダーカム８２とが上記所定の角度θを保持しながら回転されている。
【００５５】
次に、緩衝機構８０の動作について説明する。緩衝機構８０は、上述のごとく、伝達機構６０のカム機構によって構成されている。図９に示すように、スイッチ本体１１が配置孔４２の左側端部に位置した状態で、例えば遊技者が操作部２０の押圧移動操作を過剰な力で行い続けたり、保持部３０のフランジ部３２に外力が加わり右方向への移動が阻害されたりして、スイッチ本体１１が停止固定してしまうと、スライダー６１の被作用部６３（前後長孔６３ｂ）に連係されているローラー作用部８４及びスライダーカム８２が停止固定されてしまう。このとき、モータ５０は駆動し続けるので、緩衝機構８０が機能してモータカム８１も回転し続けることが可能となっている。
【００５６】
すなわち、図１０（ａ）に示すように、スライダーカム８２は、切り込み部８２ｄ（捻じりバネ８３の他端部８３ｂ）が直線Ｑ１に対応した角度位置で固定されたまま、モータカム８１は、捻じりバネ８３の付勢力に抗して切り込み部８１ｃ（捻じりバネ８３の一端部８３ａ）が直線Ｐ２に対応した角度位置まで角度α分だけ反時計回りに回転し、さらに、図１０（ｂ）に示すように、直線Ｐ３に対応した角度位置まで角度β分だけ反時計回りに回転することができる。なお、直線Ｐ２は、スイッチ本体１１が配置孔４２の中央に位置したときのモータカム８１の切り込み部８１ｄの角度位置に対応し、直線Ｐ３は、スイッチ本体１１が配置孔４２の右側端部に位置したときのモータカム８１の切り込み部８１ｃの角度位置に対応している。従って、スイッチ本体１１の停止固定状態が解除されるまで、或いは所定の演出制御が終了するまでモータ５０の駆動に伴って、モータカム８１は、切り込み部８１ｃが直線Ｐ１と直線Ｐ３との間で往復回転する形で回転し続けることができる。
【００５７】
なお、操作スイッチ１０は、スイッチ本体１１の停止固定状態をロック機構７０のロック状態として構成することができる。従って、ロック機構７０がロック状態で、モータ５０が伝達機構６０の緩衝機構８０の負荷吸収許容範囲内で駆動することにより、スイッチ本体１１（操作部２０及び保持部３０）に微振動を伝播することが可能となる。これにより、遊技状態の演出の多様化を図ることができ、遊技における興趣を向上させることができる。
【００５８】
また、操作スイッチ１０は、緩衝機構８０を備えているので、ロック機構７０がアンロック状態となったときに、モータ５０に負荷を与えることなく遊技者がスイッチ本体１１（保持部３０）を指触操作可能である。
【００５９】
なお、本実施形態では、スイッチ本体１１の初期位置が、配置孔４２の中央位置としているが、これに限らず一端側としてもよい。また、モータ５０の回転方向として所定角度範囲の往復回転駆動としているが、伝達機構６０にクランクシャフト機構などを採用して、一方向回転の駆動としてもよい。また、モータ５０に代えて電気的駆動源としてソレノイドを用いてもよい。その場合には、スイッチ本体１１は直接又は他部材を介して間接的にプランジャに連結されることになるので、ソレノイド自体の構造を緩衝機構として機能させることができる。
【００６０】
次に、本発明における第１の別実施形態に係る操作スイッチについて説明する。なお、以下の説明では、上述した実施形態と異なる部分について主に述べ、重複する部分については同番号の符号を付して説明を省略又は簡略化する。
【００６１】
図１１ないし図１３に示すように、第１の別実施形態に係る操作スイッチ１００は、上述した実施形態とは異なる態様の伝達機構１６０を備えている。また、ベース部４０の上壁４１には、円形形状に開口する配置孔１４２が貫通形成され、保持部３０のフランジ部１３２は平面視円形形状（ドーナツ形状）をなすように収容部３１の上端から径方向外側に延出されている。そして、スイッチ本体１１（保持部３０）は、図１１（ａ）に示すように、操作部２０の操作面２１ａに交差する押圧方向に沿った所定の直線（中心軸線Ｏ１）が、配置孔１４２の中心軸線Ｏ４（図１１（ｃ）参照）を中心とする円周状の軌跡を描くように、ベース部４０に対して可動（公転移動）可能に固定されている。
【００６２】
伝達機構１６０は、保持部３０と連結され中心軸線Ｏ４回りで回転するスライドギア１６１と、モータ軸５１に装着されスライドギア１６１と噛合されるモータギア５２と、スイッチ本体１１が中心軸線Ｏ４回りで公転移動する際に中心軸線Ｏ１回りで自転するのを規制する規制部材１７１とを備えている。
【００６３】
スライドギア１６１は、保持部３０の収容部３１が挿通される円形形状に貫通形成された取付部１６１ａと、円筒形状をなし外周縁に沿って垂下されるガイド周壁部１６１ｂと、所定の回転変位を検出するフォトセンサ４８の被検出部として板片１６３を取り付ける板片固定部１６１ｃとを形成している。取付部１６１ａは、スライドギア１６１がベース部４０に固定されたときに、中心軸線Ｏ４から径方向に位置ズレした位置が中心（中心軸線Ｏ１と一致する）となるように貫通形成されている。なお、スライドギア１６１は、配置孔１４２を閉塞するように固定されている。
【００６４】
また、スライドギア１６１は、複数（本実施例では３箇所）の保持手段１６２によってベース部４０に回転可能に固定されている。保持手段１６２は、ガイド周壁部１６１ｂに当接又は近接してギア部分の下側に入り込み中心軸線Ｏ４方向（上下方向）及び中心軸線Ｏ４と交差（直交）する平面の面内方向の移動を規制するガイドローラー１６２ａと、そのガイドローラー１６２ａに挿通されベース部４０の軸受部１４３に装着される真鍮ピンなどの軸部材１６２ｂと、軸部材１６２の先端側の溝に係合されガイドローラー１６２ａの抜け止めをするｅリング１６２ｃとを含み構成されている。
【００６５】
規制部材１７１は、左右方向に所定の間隔を隔てて前後方向に延出される２本の規制部１７１ａと、その２本の規制部１７１ａを両端でそれぞれ繋ぐとともに上方に起立するように形成された側壁部１７１ｂと、側壁部１７１ｂの上端に形成され左右方向の伸びる棒状の摺動部１７１ｃとを備えている。規制部材１７１は、規制部１７１ａが保持部３０と底蓋１３７との間で挟み込まれる形態でスイッチ本体１１に連結されている。なお、底蓋１３７は、規制部１７１ａに対応した間隔部１３７ｂを有して、保持部３０の収容部３１の外周面を外側から覆う起立壁１３７ａが形成されている。これにより、スイッチ本体１１と規制部材１７１とは、左右方向の相対的な移動が規制される一方、前後方向の相対的な移動が規制部１７１ａの長手方向の範囲で可能に連結されている。
【００６６】
従って、スイッチ本体１１は、図１１（ｃ）に示すように、フランジ部１３２で配置孔１４２を閉塞するとともに、収容部３１がスライドギア１６１の取付部１６１ａに相対的に回転可能に挿通され、収容部３１の下端部に底蓋１３７が取り付けられて規制部材１７１が連結されている。そして、規制部材１７１の摺動部１７１ｃがベース部４０の上壁４１の下面（内面）に当接又は近接することで、スイッチ本体１１が配置孔１４２から抜脱されるのを防止されている。
【００６７】
次に、第１の別実施形態に係る操作スイッチ１１の作動について説明する。上述の実施形態と同様に所定の遊技状態となったときに、スイッチ本体１１が円を描くように回転、或いは円弧を描くように所定角度範囲で回動するように制御されている。例えば、通常状態（初期状態）において、図１４に示すように、スイッチ本体１１は、所定位置として中心軸線Ｏ１が配置孔１４２の中心軸線Ｏ４の後側（図面では上側）に位置するようにベース部４０の配置孔１４２の後側寄りに位置して配置されている。
【００６８】
そして、リーチ演出時や大当たり時等の所定の遊技状態となったときには、モータ５０が駆動制御され、モータ軸５１及びモータギア５２が例えばモータ軸線Ｏ２回りで反時計回りに回転する。これにより、スライドギア１６１が中心軸線Ｏ４回りで時計回りに回転し、図１５に示すように、スライドギア１６１が９０度回転したときには、中心軸線Ｏ１が中心軸線Ｏ４の右側に位置するように取付部１６１ａが配置孔１４２の右側寄りに回転移動してスイッチ本体１１が同様に回転移動する。このとき、スイッチ本体１１は、規制部材１７１と一体的に右方向に移動するとともに、規制部１７１ａに沿って前方に移動するので、規制部材１７１によって自転運動（中心軸線Ｏ１回りでの回転）が規制され、前後左右の方向性（姿勢）を維持したまま、回転移動が行われる。
【００６９】
さらに、図１６に示すように、スライドギア１６１が９０度（初期位置から１８０度）回転したときには、中心軸線Ｏ１が中心軸線Ｏ４の前側に位置するように取付部１６１ａが配置孔１４２の前側寄りに回転移動してスイッチ本体１１が同様に前後左右の方向性（姿勢）を維持したまま回転移動する。このように、モータ５０が駆動制御されスライドギア１６１が中心軸線Ｏ４回りで回転することにより、取付部１６１ａとともにスイッチ本体１１の回転移動が行われる。なお、このとき規制部材１７１はスイッチ本体１１に追従して左右方向の直線移動が行われる。
【００７０】
次に、本発明における第２の別実施形態に係る操作スイッチについて説明する。なお、以下の説明では、上述した実施形態と異なる部分について主に述べ、重複する部分については同番号の符号を付して説明を省略又は簡略化する。
【００７１】
図１７ないし図１９に示すように、第２の別実施形態に係る操作スイッチ２００は、上述した実施形態とは異なる態様の伝達機構２６０を備えている。また、ベース部４０の上壁２４１は、後述するモータ軸線Ｏ２を中心とする側面視円弧形状をなす半円筒形態（ハーフパイプ形態、蒲鉾形態）に形成されている。そして、上壁２４１には、その周方向に延びたレーストラック形状（小判形状、長孔形状）に開口する配置孔２４２が貫通形成され、保持部３０のフランジ部２３２は収容部３１の上端から径方向外側に延出され、上壁２４１に対峙する下面がモータ軸線Ｏ２を中心とする側面視円弧形状をなすように傘状形態（スカート状形態、椀状形態）で形成されている（図１７（ｂ）参照）。
【００７２】
そして、スイッチ本体１１（保持部３０）は、図２０に示すように、操作部２０の操作面２１ａに交差する押圧方向に沿った所定の直線（中心軸線Ｏ１）が、モータ軸線Ｏ２回りで所定の角度範囲を揺動（回動）するように、ベース部４０に対して可動可能に固定されている。
【００７３】
伝達機構２６０は、図１７（ｄ）、図１８及び図１９に示すように、ベース部４０に底蓋２３７がベース部４０に対して直接回転可能に固定されて形成されている。底蓋２３７は、保持部３０の収容部３１の外周面を覆うために上方に起立する周壁部２３７ａと、所定幅を有し左右方向に対向して下方に垂下する一対の脚部２３７ｂと、その脚部２３７ｂの先端部分で中心軸線Ｏ１の径方向外側に延びる入力軸部２３７ｃとを備えている。そして、入力軸部２３７ｃは、リング状の軸受部５４に挿通され、その軸受部５４が、ベース部４０の上壁２４１の下面から延出される上側軸支部２４３と底カバー４７の上面から延出される下側軸支部４７ａとによって支持固定されている。
【００７４】
ここで、モータ５０は、モータ軸線Ｏ２（モータ軸５１）が中心軸線Ｏ１に交差する方向（左右方向）で配置されるようにモータベース４９を介してベース部４０の底カバー４７に固定されている。そして、底蓋２３７の入力軸部２３７ｃの一方側には、モータ軸５１に装着される出力軸部５３の係合ピン５３ａが挿し込まれる係合凹部２３７ｄが形成され、この係合によりモータ５０の駆動力が底蓋２３７に伝達される。なお、底蓋２３７には、スイッチ本体１１（底蓋２３７）の所定の回転変位を検出するフォトセンサ４８の被検出部として屈曲形成された遮蔽アーム２３７ｅが下面に突出形成されている。
【００７５】
次に、第２の別実施形態に係る操作スイッチ１１の作動について説明する。スイッチ本体１１は、上述の実施形態と同様に所定の遊技状態となったときに、上壁２４１の湾曲した斜面に沿って前後方向（上下方向）に所定角度範囲で揺動することができる。例えば、通常状態（初期状態）において、図２０（ａ）に示すように、スイッチ本体１１は、所定位置として中心軸線Ｏ１が上下方向に沿うように、保持部３０が配置孔２４２の上端に当接又は近接する位置に配置されている。
【００７６】
そして、リーチ演出時や大当たり時等の所定の遊技状態となったときには、モータ５０が駆動制御され、モータ軸５１及び原動軸部５３が例えばモータ軸線Ｏ２回りで所定角度だけ反時計回りに回転する。これにより、スイッチ本体１１がモータ軸線Ｏ２回りで所定角度だけ反時計回りに回転する（図２０（ｂ）参照）。さらに、モータ５０が駆動制御されることにより、図２０（ｃ）に示すように、スイッチ本体１１が配置孔２４２の下端に当接又は近接する位置に配置されモータ５０の駆動が停止又は反転して一連の揺動動作が行われる。
【００７７】
次に、本発明における第３の別実施形態に係る操作スイッチについて説明する。なお、以下の説明では、上述した実施形態と異なる部分について主に述べ、重複する部分については同番号の符号を付して説明を省略又は簡略化する。
【００７８】
図２１及び図２２に示すように、第３の別実施形態に係る操作スイッチ３００は、上述した実施形態とは異なる態様のロック機構３７０及びカム機構（緩衝機構）３８０を備えている。ロック機構３７０は、上述したがプランジャ７６が上下方向に進退するようにソレノイド７５を配置し、かつ、スライダー３６１に貫通孔を形成して、その貫通孔にプランジャ７６を直接又は間接的にカンヌキ状に嵌合することで、ロック機構を形成している。
【００７９】
具体的には、操作スイッチ３００は、ベース部４０の下面の開口を閉塞する底カバー３４９にモータ５０及びソレノイド７５が組み付けられている。底カバー３４９は、下面側（外側）にモータ５０を固定するモータ固定部３４９ａと、ソレノイド７５を固定するソレノイド固定部３４９ｂとを備え、それら固定部にモータ軸５１やプランジャ７６が上面側（内側）に挿通される挿通孔３４９ｈ、３４９ｈが形成されている。ロック機構３７０には、プランジャ７６の先端に組付けられ該プランジャ７６と一体的に上下方向（軸線方向）に往復移動するロックピン３７１が設けられている。ロックピン３７１は、プランジャ７６の軸線方向に沿って上方に突出する棒状のロック部３７２を備えている。なお、図２１及び図２２において、プランジャ７６を付勢するバネは省略されている。
【００８０】
スライダー３６１には、底カバー３４９のソレノイド固定部３４９ｂに対応して後側壁から鍔状に突出する舌片３６５が形成され、その中央に厚み方向に貫通する貫通孔として被ロック部３６４が形成されている。そして、ベース部４０の上壁４１の下面（内面）には、その被ロック部３６４に挿通されたロック部３７２の先端が嵌合して保持するピン受け部３４１が円筒状に突出して形成されている。これにより、プランジャ７６を介して図示しないバネで付勢されたロックピン３７１のロック部３７２がピン受け部３４１で保持されるので、スイッチ本体１１を安定してロック保持することが可能となる。また、舌片３６５は、被ロック部３６４の左右両側に所定の幅を有して平滑に下面が形成されているので、スイッチ本体１１が配置孔４２に対して左右どちらかに移動した状態でソレノイド７５が非励磁となった場合にも、該下面にロック部３７２の先端を当接させておくことができるので、スイッチ本体１１が所定位置に移動して被ロック部３６４がロック部３７２の位置に配置されたときに、バネの付勢力によって自動的にロック状態とすることができる。
【００８１】
次に、カム機構３８０は、モータ５０のモータ軸５１に連結されるモータカム３８１と、モータカム３８１に対して相対的に回転可能に固定され、スライダー３６１と連係されるスライダーカム３８２と、モータカム３８１とスライダーカム３８２との間に配置され、モータカム３８１の回転変位をスライダーカム３８２の回転変位に伝達する捻じりバネ３８３とを備えている。
【００８２】
モータカム３８１は、円板形態をなし、モータ軸５１が嵌合する嵌合孔を有しモータ軸線Ｏ２に沿って延出されるボス状の内軸部８１ａと、モータ軸線Ｏ２において内軸部８１ａの径方向外側で所定の角度範囲で起立する周壁部３８１ｂとを備えている。ここで、捻じりバネ３８３は、内軸部８１ａにコイル部３８３ｃが挿通配置され、２本の延出される一端部３８３ａ（以下、左側端部３８３ａともいう）、他端部３８３ｂ（以下、右側端部３８３ｂともいう）が周壁部３８１ｂの両側壁を付勢して挟持するように配置されている（図２３（ｄ）参照）。また、モータカム３８１には、所定の回転変位を検出するフォトセンサ４８の被検出部として突片８１ｄが形成されている。従って、この突片８１ｄ（又は隙間、切欠き）の検出によって、スイッチ本体１１及びスライダー３６１の所定位置における変位が検出される。さらに、モータカム３８１は、底カバー３４９の上面にボス状に形成された２つ規制部３４９ｓ、３４９ｓに当接して自身の回転範囲（変位）を規制するストッパー部３８１ｆが形成されている。なお、フォトセンサ４８は底カバー３４９に固定されている。
【００８３】
スライダーカム３８２は、円板形態をなし、モータカム３８１の内軸部８１ａが挿通（遊嵌）されるボス状の外軸部８２ａと、モータ軸線Ｏ２において外軸部８２ａの径方向外側で所定の角度範囲で起立する周壁部３８２ｂとを備えている。ここで、捻じりバネ３８３は、モータカム３８１の内軸部８１ａにコイル部３８３ａが挿通配置され、２本の延出される左側端部３８３ａ、右側端部３８３ｂが周壁部３８２ｂの両側壁を付勢して挟持するように配置されている（図２３（ｄ）参照）。
【００８４】
モータカム３８１とスライダーカム３８２とは、それぞれの周壁部３８１ｂ、３８２ｂの周方向の幅が略同一となるように形成されており、それら周壁部３８１ｂ、３８２ｂは、モータ軸線Ｏ２の径方向に並ぶように配置されている。そして、それら周壁部３８１ｂ、３８２ｂの幅と捻じりバネ３８３のコイル部３８３ｃの直径（幅）が略同一となるように形成されている。従って、モータカム３８１とスライダーカム３８２とが積層配置されて両者の間に形成される空間部に捻じりバネ３８３が収容されることにより、捻じりバネ３８３の左側端部３８３ａ及び右側端部３８３ｂがコイル部３８３ｃの所定位置の接線に沿って平行に延出した状態で、モータカム３８１の周壁部３８１ｂの両側壁とスライダーカム３８２の周壁部３８２ｂの両側壁それぞれに当接（付勢）することが可能となっている。従って、捻じりバネ３８３を介して、モータカム３８１とスライダーカム３８２とを後述する動作や緩衝機構として安定して機能させることができる。
【００８５】
また、スライダーカム３８２には、外軸部８２ａから径方向に位置ズレした偏心軸部８２ｄが形成されており、この偏心軸部８２ｄにローラー作用部８４が回転可能に軸支されている。
【００８６】
ここで、ローラー作用部８４がスライダー３６１の前後長孔６３ｂに配置され、外軸部８２ａが左右長孔６３ａに配置されて、カム機構３８０とスライダー３６１との連係が行われている。すなわち、スライダーカム８２が回転することにより、ローラー作用部８４が回転変位してスライダー３６１を左右方向に直線移動（変位）させるとともに、左右長孔６３ａによって外軸部８２ａの干渉が回避されている（ガイドとして機能もする）。そして、スライダーカム３８２の回転は、モータカム３８１が回転すると捻じりバネ３８３の付勢力（弾性力，復元力）によってスライダーカム３８２がその回転に追従する形で回転することができる（図７、図８等参照）。
【００８７】
なお、内軸部８１ａ及び偏心軸部８２ｄの先端部に座付きビス８５が締結され、外軸部８２ａ及びローラー作用部８４が抜け止めされている。これにより、モータカム３８１とスライダーカム３８２、並びにスライダーカム３８２とローラー作用部８４がそれぞれ相対的に回転可能に固定されている。
【００８８】
次に、カム機構３８０の動作について説明する。図２３に示すように、操作スイッチ３００の通常状態（初期状態）において、カム機構３８０のスライダーカム３８２の外軸部８２ａは、スライダー３６１の左右長孔６３ａの中央に位置して配置されている（図７等参照）。すなわち、ローラー作用部８４（偏心軸部８２ｄ）と外軸部８２ａとが前後方向に並ぶ位置（被作用部６３の前後長孔６３ｂがモータ軸線Ｏ２と交差する位置）で保持されている。
【００８９】
そして、リーチ演出時や大当たり時等の所定の遊技状態となったときには、まず、ロック機構３７０がアンロック状態となり、スイッチ本体１１（スライダー３６１）が左右方向に往復移動可能な状態になるとともに、モータ５０が所定の角度範囲、速度及び時間でモータ軸５１を往復回転するように駆動制御される。
【００９０】
具体的には、モータ５０が駆動制御され、図２４においてモータ軸線Ｏ２を中心として時計回りにモータ軸５１が所定の角度回転し、モータカム３８１、捻じりバネ３８３及びスライダーカム３８２を介してローラー作用部８４（偏心軸部８２ｄ）が所定の角度回転し左方向に変位する。すなわち、モータカム３８１の周壁部３８１ｂ及びスライダーカム３８２の周壁部３８２ｂが捻じりバネ３８３の左側端部３８３ａ及び右側端部３８３ｂに両側から狭持されているので、モータカム３８１の周壁部３８１ｂが左方向に変位することにより、その移動が捻じりバネ３８３を介してスライダーカム３８２の回転変位に伝達されて、特には右側端部３８３ｂの付勢力によって周壁部３８２ｂが左方向に変位する。そして、モータ５０が駆動制御され、モータ軸Ｏ２を中心として反時計回りにモータ軸５１が所定の角度回転すると、カム機構３８０が右方向に反転する形で上記と同様に動作して、モータカム３８１、捻じりバネ３８３及びスライダーカム３８２を介してローラー作用部８４（偏心軸部８２ｄ）が所定の角度回転し右方向に変位する。
【００９１】
そして、カム機構３８０（緩衝機構）では、上記の実施形態で説明したように、スイッチ本体１１が例えば配置孔４２の左側端部（寄り）に位置した状態で停止固定してしまった場合には（図８（ａ）、図９参照）、スライダー３６１の被作用部６３（前後長孔６３ｂ）に連係されているローラー作用部８４及びスライダーカム３８２が停止固定されてしまうが、図２５に示すように、モータカム３８１の周壁部３８１ｂが捻じりバネ３８３の右側端部３８３ｂの付勢力に抗して回転変位することができる。従って、スイッチ本体１１の停止固定状態が解除されるまで、或いは所定の演出制御が終了するまでモータ５０は駆動し続けるので、緩衝機構３８０が機能してモータカム３８１も回転し続けることが可能となっている。
【００９２】
そして、図２５に示すように、フォトセンサ４８の検出によりモータ５０の駆動が終了してモータカム３８１が所定の回転位置（モータ軸線Ｏ２と周壁部３８１ｂとが前後方向に並ぶ位置）で停止することとなり、スイッチ本体１１の停止固定状態が解除されると、捻じりバネ３８３の左側端部３８３ａの付勢力により、スライダーカム３８２の周壁部３８２ｂが右方向に回転変位して、ローラー作用部８４（偏心軸部８２ｄ）と外軸部８２ａとが前後方向に並ぶ位置（被作用部６３の前後長孔６３ｂがモータ軸線Ｏ２と交差する位置）に移動する（図２３参照）。これにより、スライダー３６１及びスイッチ本体１１が通常位置に復帰するので、ロック機構３７０によって、ロック状態で保持されることとなる。
【００９３】
なお、本発明では遊技機の一例としてパチンコ機について説明したが、他に例えばアレンジボール遊技機、雀球遊技機、回胴式遊技機等の操作スイッチが設けられる遊技機に適用することができる。
【００９４】
また、第１及び第２の別実施形態では、スイッチ本体の別の可動パターンとして例示したものであり、ロック機構や緩衝機構については省略したが必要に応じて適宜設けることができる。そして、可動パターンとしては、これに限るものではなく、操作部を通る所定の直線が円（円錐）を描くように振れる移動（歳差移動，首振り移動、みそすり移動）などや、各可動パターンを組み合わしてもよい。
【符号の説明】
【００９５】
１  パチンコ機（遊技機）
２  外枠
３  内枠
４  前枠
４ａ  窓部
４ｂ  透明板
５  球受皿
１０，１００，２００，３００  操作スイッチ（遊技機用操作スイッチ）
１１  スイッチ本体
２０  操作部
２１  操作蓋
２１ａ  操作面
２１ｂ  周壁部
２１ｃ  係止凹部
２２  操作部本体
２２ａ  外周壁部
２２ｂ  内周壁部
２２ｃ  係止凸部
２２ｄ  係止爪
３０  保持部
３１  収容部
３１ａ  ガイド部
３１ｂ  係止受部
３２  フランジ部
３３  仕切り壁
３３ａ  溝部
３４  固定ボス
３７，１３７，２３７  底蓋
４０  ベース部（他部材）
４１  上壁（外壁部）
４２，１４２，２４２  配置孔
４３  ガイドリブ
４９  モータベース
５０  モータ（電気的駆動源）
５１  モータ軸
６０，１６０，２６０  伝達機構（伝達手段）
６１，３６１  スライダー
６２  取付部
６３  被作用部
６４，３６４  被ロック部
７０，３７０  ロック機構（ロック手段）
７１  テコ部材
７２，３７２  ロック部
７３  操作ピン
７４  軸ボス
７５  ソレノイド
７６  プランジャ
８０，３８０  カム機構（緩衝機構，緩衝手段）
８１，３８１  モータカム
８２，３８２  スライダーカム
８３，３８３  捻じりバネ
８４  ローラー作用部
【図１】
0005868686.tif 000002
【図２】
0005868686.tif 000003
【図３】
0005868686.tif 000004
【図４】
0005868686.tif 000005
【図５】
0005868686.tif 000006
【図６】
0005868686.tif 000007
【図７】
0005868686.tif 000008
【図８】
0005868686.tif 000009
【図９】
0005868686.tif 000010
【図１０】
0005868686.tif 000011
【図１１】
0005868686.tif 000012
【図１２】
0005868686.tif 000013
【図１３】
0005868686.tif 000014
【図１４】
0005868686.tif 000015
【図１５】
0005868686.tif 000016
【図１６】
0005868686.tif 000017
【図１７】
0005868686.tif 000018
【図１８】
0005868686.tif 000019
【図１９】
0005868686.tif 000020
【図２０】
0005868686.tif 000021
【図２１】
0005868686.tif 000022
【図２２】
0005868686.tif 000023
【図２３】
0005868686.tif 000024
【図２４】
0005868686.tif 000025
【図２５】
0005868686.tif 000026